(57)【要約】【課題】感光体と搬送手段を離間させずに、現像を行わない画像形成ユニットの感光体表面の摩耗量を低減する。【解決手段】プリンタ１０は、モノクロの画像形成ユニット１２Ｋと、カラーの画像形成ユニット１２Ｙ、１２Ｍ、１２Ｃと、搬送装置４２と、転写ロール４６と、制御ユニット５４と、を備えている。ここで、モノクロの現像を行うとき、画像形成ユニット１２Ｋの感光体３６Ｋが周速度Ｖ１で回転駆動され、カラーの３色（イエロー、マゼンタ、シアン）の画像形成ユニット１２Ｙ、１２Ｍ、１２Ｃの感光体３６Ｙ、３６Ｍ、３６Ｃが周速度Ｖ２（０＜Ｖ２＜Ｖ１）で回転駆動される。これにより、感光体３６Ｙ、３６Ｍ、３６Ｃと、搬送ベルト４２及びクリーニングブレード６２との接触回数が減り、感光体３６Ｙ、３６Ｍ、３６Ｃ表面の摩耗量が低減される。【選択図】図３
2010102257.tif 000002
【特許請求の範囲】
【請求項１】
装置本体に回転可能に設けられた感光体と、前記感光体の表面を帯電させる帯電部と、前記帯電部で帯電された前記感光体に露光光を出射して前記感光体の表面に潜像を形成する露光部と、前記潜像を現像剤で顕在化して現像剤像を形成する現像部と、現像後の前記感光体の表面に残留する現像剤を除去する現像剤除去手段と、を有し、前記現像剤の色毎に複数並べられた画像形成ユニットと、
前記複数の画像形成ユニットと対向配置され記録媒体を搬送する搬送手段と、
前記搬送手段で搬送される記録媒体に前記感光体から前記現像剤像を転写する転写手段と、
一の前記画像形成ユニットで現像を行うとき、一の前記画像形成ユニットの前記感光体を周速度Ｖ１で回転させ、現像を行わない残りの前記画像形成ユニットの前記感光体を０より大きく、且つ周速度Ｖ１よりも低い周速度Ｖ２（０＜Ｖ２＜Ｖ１）で回転させる駆動制御手段と、
を備えたことを特徴とする画像形成装置。
【請求項２】
前記搬送手段が、複数の回転体で回転可能に張架された搬送ベルトであり、
前記搬送ベルトの外周面側に、該外周面を帯電させて記録媒体を吸着させる帯電手段が設けられている請求項１に記載の画像形成装置。
【請求項３】
一の前記画像形成ユニットで現像を行うとき、現像を行わない残りの前記画像形成ユニットの前記感光体と対向する前記転写手段を動作させる請求項１又は請求項２に記載の画像形成装置。
【請求項４】
一の前記画像形成ユニットで現像を行うとき、現像を行わない前記画像形成ユニットの前記感光体の周速度Ｖ２が、０より大きく、一の前記画像形成ユニットの前記感光体の周速度Ｖ１の１／２以下である請求項１から請求項３のいずれか１項に記載の画像形成装置。
【発明の詳細な説明】
【技術分野】
【０００１】
本発明は、画像形成装置に関する。
【背景技術】
【０００２】
従来、プリンタや複写機等の画像形成装置には、フルカラーの画像形成を行うために、黒、イエロー、マゼンタ、シアンの各現像剤で現像剤像を形成する複数の画像形成ユニットを並列配置し、複数の画像形成ユニットと対向配置された中間転写ベルト上に各現像剤像を重ねてから記録用紙に転写させる、いわゆるタンデム方式を用いたものがある。
【０００３】
画像形成ユニットは、感光体、感光体の表面を帯電させる帯電器、光を照射して潜像を形成する露光器、潜像に現像剤を供給して現像剤像を形成する現像器、転写後に感光体表面に残留した現像剤を除去するクリーニング部材等を有している。
【０００４】
ここで、タンデム方式を用いたフルカラー用画像形成装置の例として、黒の画像形成ユニットを単独動作させるときに、黒を除く３色の画像形成ユニットが画像形成動作を行わないようにしたものがある（例えば、特許文献１参照）。
【０００５】
特許文献１の画像形成装置では、カラーモードからモノクロモード移行時に、感光体、転写体の速度を変えながら、感光体とベルトを離間させている。
【特許文献１】特開２００６−２２０８２５号公報
【発明の開示】
【発明が解決しようとする課題】
【０００６】
本発明は、感光体と搬送手段を離間させずに、現像を行わない画像形成ユニットの感光体表面の摩耗量を低減することができる画像形成装置を得ることを目的とする。
【課題を解決するための手段】
【０００７】
本発明の請求項１に係る画像形成装置は、装置本体に回転可能に設けられた感光体と、前記感光体の表面を帯電させる帯電部と、前記帯電部で帯電された前記感光体に露光光を出射して前記感光体の表面に潜像を形成する露光部と、前記潜像を現像剤で顕在化して現像剤像を形成する現像部と、現像後の前記感光体の表面に残留する現像剤を除去する現像剤除去手段と、を有し、前記現像剤の色毎に複数並べられた画像形成ユニットと、前記複数の画像形成ユニットと対向配置され記録媒体を搬送する搬送手段と、前記搬送手段で搬送される記録媒体に前記感光体から前記現像剤像を転写する転写手段と、一の前記画像形成ユニットで現像を行うとき、一の前記画像形成ユニットの前記感光体を周速度Ｖ１で回転させ、現像を行わない残りの前記画像形成ユニットの前記感光体を０より大きく、且つ周速度Ｖ１よりも低い周速度Ｖ２（０＜Ｖ２＜Ｖ１）で回転させる駆動制御手段と、を備えている。
【０００８】
本発明の請求項２に係る画像形成装置は、前記搬送手段が、複数の回転体で回転可能に張架された搬送ベルトであり、前記搬送ベルトの外周面側に、該外周面を帯電させて記録媒体を吸着させる帯電手段が設けられている。
【０００９】
本発明の請求項３に係る画像形成装置は、一の前記画像形成ユニットで現像を行うとき、現像を行わない残りの前記画像形成ユニットの前記感光体と対向する前記転写手段を動作させる。
【００１０】
本発明の請求項４に係る画像形成装置は、一の前記画像形成ユニットで現像を行うとき、現像を行わない前記画像形成ユニットの前記感光体の周速度Ｖ２が、０より大きく、一の前記画像形成ユニットの前記感光体の周速度Ｖ１の１／２以下である。
【発明の効果】
【００１１】
請求項１の発明は、本構成を有していない場合に比較して、感光体と搬送手段を離間させずに、現像を行わない画像形成ユニットの感光体表面の摩耗量を低減することができる。
【００１２】
請求項２の発明は、本構成を有していない場合に比較して、記録媒体と搬送ベルトのずれが抑えられる。
【００１３】
請求項３の発明は、本構成を有していない場合に比較して、記録媒体と搬送ベルトのずれが抑えられる。
【００１４】
請求項４の発明は、本構成を有していない場合に比較して、現像を行わない画像形成ユニットの感光体表面の摩耗量が低減される。
【発明を実施するための最良の形態】
【００１５】
本発明の画像形成装置の実施形態を図面に基づき説明する。
【００１６】
図１には、本発明の画像形成装置としてのプリンタ１０が示されている。プリンタ１０は、４色のトナー（イエロー（Ｙ）、マゼンタ（Ｍ）、シアン（Ｃ）、ブラック（Ｋ））によるフルカラー画像形成を行う画像形成ユニット１２Ｙ、１２Ｍ、１２Ｃ、１２Ｋが上下方向に配列されている。各画像形成ユニット１２Ｙ、１２Ｍ、１２Ｃ、１２Ｋは、収容されるトナーを除いて同様の構成となっている。
【００１７】
なお、イエロー、マゼンタ、シアン、ブラックの各色を区別する際には、符号の後にＹ、Ｍ、Ｃ、Ｋを付加して説明するが、各色を区別する必要がない場合は、符号の後のＹ、Ｍ、Ｃ、Ｋは省略する。各トナーＹ、Ｍ、Ｃ、Ｋは、特に製造方法により限定されるものではなく、各種のトナーが使用可能である。
【００１８】
図１に示すように、プリンタ１０の下部には、記録用紙Ｐが収納された給紙カセット１４が設けられている。給紙カセット１４の近傍には、記録用紙Ｐを所定のタイミングで送り出すピックアップロール１６が設けられている。また、ピックアップロール１６の記録用紙Ｐの搬送方向下流側には、搬送ロール１８及びレジストロール２０からなる用紙搬送路２２が設けられている。ここで、ピックアップロール１６によって給紙カセット１４から送り出された記録用紙Ｐは、搬送ロール１８及びレジストロール２０を介して用紙搬送路２２へ送り込まれ、各画像形成ユニット１２に記録用紙Ｐを搬送する搬送装置２４へ搬送されるようになっている。
【００１９】
画像形成ユニット１２は、用紙搬送路２２の上流側（プリンタ１０の下側）から前述のＹ、Ｍ、Ｃ、Ｋの色の順に配設されている。また、画像形成ユニット１２の図中左側には、画像形成ユニット１２内に設けられた感光体３６に走査光（露光光）を照射する露光装置２６が配設されている。
【００２０】
露光装置２６は、筐体２８内に図示しない半導体レーザ、ポリゴンミラー３０、結像レンズ３２及びミラー３４が配設されており、半導体レーザからの光は、ポリゴンミラー３０で偏向走査され、結像レンズ３２とミラー３４を介して各感光体３６に照射される。これにより、感光体３６に、画像情報に応じた静電潜像が形成されるようになっている。
【００２１】
また、プリンタ１０の図中右側（感光体３６と対向する位置）には、前述の搬送装置２４が配設されている。搬送装置２４は、プリンタ１０の側壁１０Ａに沿って上下に設けられた一対の張架ロール３８（下側）、張架ロール４０（上側）と、この張架ロール３８、４０に巻き掛けられた搬送ベルト４２とで構成されている。
【００２２】
張架ロール４０は、図示しないモータによって回転され、搬送ベルト４２が移動するようになっている。また、張架ロール３８の近傍には、吸着ロール４４が対向配置されており、この吸着ロール４４に電圧が印加されることによって、搬送ベルト４２に記録用紙Ｐが静電的に吸着されるようになっている。
【００２３】
また、搬送ベルト４２の裏面の各色の感光体３６と対向する位置には、それぞれ転写ロール４６が配設されている。この転写ロール４６によって、感光体３６上のトナー像が、搬送ベルト４２によって搬送される記録用紙Ｐに転写される。トナー像が転写された記録用紙Ｐは、張架ロール４０の上方に設けられた一対のロールからなる定着装置４８で、熱と圧力の作用により定着される。そして、トナー像が定着された記録用紙Ｐは、排出ロール５０によって排出トレイ５２へ排出されるようになっている。
【００２４】
露光装置２６の近傍（図中左側）には、プリンタ１０の各部の動作制御を行う制御ユニット５４が設けられている。
【００２５】
一方、搬送装置２４の張架ロール４０と、定着装置４８の間には、図示しない切り換えレバーの移動によって記録用紙Ｐが進入し搬送される用紙反転路２５が設けられている。用紙反転路２５は、湾曲状又は直線状に配置された複数のガイド板２７と、各ガイド板２７間に配置され回転して記録用紙Ｐを搬送する搬送ロール２９とを有している。
【００２６】
ここで、表面（片面）の画像の定着が終了した記録用紙Ｐは、排出ロール５０及び定着装置４８のロールが逆回転することにより再度プリンタ１０内に搬送され、用紙反転路２５内に進入する。そして、用紙反転路２５内を搬送された記録用紙Ｐは、再度搬送装置２４で搬送される。このとき、画像形成されていない裏面は、各感光体３６と対向する側に面しており、記録用紙Ｐの反転が完了する。
【００２７】
次に、画像形成ユニット１２の構成について説明する。
【００２８】
図２に示すように、画像形成ユニット１２は、感光体３６を有する感光体ユニット５６（上部）と、各色のトナーが収容されると共に、感光体３６に作像される静電潜像に対して各色トナーの現像を行う現像装置５８（下部）とで構成されている。感光体ユニット５６と現像装置５８の間には、露光光Ｌが通過する光通路５９が形成されており、露光光Ｌは、光通路５９を通って感光体３６の表面に照射されるようになっている。
【００２９】
感光体ユニット５６は、回転可能に設けられた感光体３６と、感光体３６の周囲に配設され所定の電位差により感光体３６表面を帯電させる帯電ロール６０と、感光体３６表面を清掃するクリーニングブレード６２と、感光体３６表面の除電を行うイレーズランプ６４と、クリーニングブレード６２から離れた位置に設けられたサブトナー供給ユニット６６とが一体となって構成されている。
【００３０】
サブトナー供給ユニット６６には、トナーの攪拌及び搬送を行うマイラフィルムを有する攪拌搬送部材６８が設けられている。また、サブトナー供給ユニット６６の側壁には、支持突起７０が突設されており、支持突起７０をプリンタ１０内の図示しない受部に挿通させることで、プリンタ１０に画像形成ユニット１２が装着されるようになっている。
【００３１】
一方、現像装置５８は、感光体３６の静電潜像をトナーで可視像化する現像ユニット７２と、現像ユニット７２にトナーＴを供給するメイントナー供給ユニット７４とが横方向に一体化された構成となっている。なお、現像装置５８では、キャリアとの攪拌混合でトナーＴを摩擦帯電させて現像する二成分現像方式が用いられている。
【００３２】
現像ユニット７２は、本体としてのハウジング７６を有している。ハウジング７６は、感光体３６の下方側に設けられており、感光体３６側に向かって開口した開口部７８が形成されている。また、ハウジング７６内には、現像剤収容室８０が形成されている。現像剤収容室８０は、内部にトナーＴ及びキャリアからなる現像剤Ｇが収容されている。なお、キャリアは、現像剤収容室８０のみに収容されている。
【００３３】
さらに、ハウジング７６内には、開口部７８から一部が露出するようにして、現像ロール８２が配設されている。現像ロール８２は、矢印方向へ回転可能に設けられた非磁性円筒状の現像スリーブ（図示省略）と、現像スリーブの内側で回転しないように固定され複数の磁極が交互に配設された磁石ロール（図示省略）とで構成されている。現像スリーブの端部には、図示しないギアが固定されており、モータからの回転力がギアへ伝達され、ギアを介して現像スリーブが回転するようになっている。
【００３４】
ここで、現像ロール８２は、現像剤Ｇ中に含まれるキャリアを磁力で吸着し、表面に現像剤Ｇの磁気ブラシを形成して、キャリアに吸着したトナーＴを感光体３６と対向する現像領域（現像剤供給位置）へ搬送する。そして、露光光Ｌにより感光体３６上に形成された静電潜像が、現像ロール８２の表面に形成されたキャリアとトナーとからなる現像剤Ｇの磁気ブラシによって可視像化されるようになっている。
【００３５】
現像ロール８２における現像領域の上流側には、現像ロール８２と所定の距離離間し、且つ現像ロール８２の軸方向に沿って、円筒状の層厚規制部材８４が配設されている。層厚規制部材８４は、アルミニウム等の非磁性体からなり、現像ロール８２上に供給された現像剤Ｇの層厚を規制している。
【００３６】
一方、現像ロール８２の下方には、現像ロール８２の軸方向に沿って第１オーガ８６及び第２オーガ８８が回転可能に軸支されている。ここで、第１オーガ８６及び第２オーガ８８の端部には、それぞれ図示しないギアが固定されており、図示しないモータからの回転力がギアへ伝達され、ギアを介して第１オーガ８６及び第２オーガ８８がそれぞれ回転するようになっている。この回転により、現像剤収容室８０内に収容された現像剤Ｇが、攪拌されながら現像ロール８２へ搬送されるようになっている。
【００３７】
第１オーガ８６と第２オーガ８８の間には、第１仕切壁９０が立設されており、この第１仕切壁９０によって、第１オーガ８６が配設された第１攪拌路９２と、第２オーガ８８が配設された第２攪拌路９４とに二分されている。また、第１仕切壁９０の長手方向の両端部には、連通口（図示省略）が形成されており、この連通口によって、第１攪拌路９２と第２攪拌路９４とが連通されている。
【００３８】
また、現像ユニット７２に隣接したメイントナー供給ユニット７４には、供給用のトナーＴが収容されるトナー収容室１０２が設けられている。トナー収容室１０２には、現像ロール８２の軸方向に沿って第１アジテータ１０４及び第２アジテータ１０６が回転可能に設けられている。
【００３９】
第１アジテータ１０４は、第１回転軸１０４Ａと、マイラからなる第１搬送フィルム１０４Ｂとを備え、メイントナー供給ユニット７４の周壁に回転可能に軸支されている。第２アジテータ１０６は、第１回転軸１０６Ａと、マイラからなる第２搬送フィルム１０６Ｂとを備え、メイントナー供給ユニット７４の周壁に回転可能に軸支されている。第１搬送フィルム１０４Ｂ及び第２搬送フィルム１０６Ｂには、トナーの搬送方向へ向けて斜めに切込みが形成されている。
【００４０】
第１回転軸１０４Ａ及び第２回転軸１０６Ａの端部には、図示しないギヤが固定されている。ここで、図示しないモータからの回転力がギヤへ伝達され、第１搬送フィルム１０４Ｂ及び第２搬送フィルム１０６Ｂが回転すると、トナー収容室１０２内のトナーＴが攪拌されながら搬送されるようになっている。
【００４１】
一方、トナー収容室１０２と現像剤収容室８０との間には、第２仕切壁１０８、湾曲壁１１０、及び第３仕切壁１１２が設けられている。第２仕切壁１０８の下部からは、湾曲壁１１０がトナー収容室１０２側へ延び、第３仕切壁１１２が現像剤収容室８０側へ延びることで、ハウジング７６の底部にトンネル状のトナー搬送路１１４を形成している。
【００４２】
トナー搬送路１１４は、第１アジテータ１０４のトナーの送り方向と平行となるように設けられている。また、トナー搬送路１１４内には、長手方向に沿ってトナーの攪拌搬送を行う搬送オーガ１１６が回転可能に設けられている。ここで、トナー搬送路１１４内には、開口部（図示省略）が形成されており、トナー収容室１０２内に収容されたトナーＴは、第１アジテータ１０４によって攪拌されながらトナー収容室１０２内を軸方向に搬送され、開口部からトナー搬送路１１４へ送り込まれるようになっている。
【００４３】
一方、第３仕切壁１１２の長手方向の他方の端部近傍には、トナー搬送路１１４と現像剤収容室８０とを連通するようにして開口部（図示省略）が形成されている。これにより、トナー搬送路１１４内のトナーＴは、搬送オーガ１１６によって攪拌されながら搬送され、トナー供給口１２０から現像剤収容室８０へ送り込まれるようになっている。
【００４４】
次に、プリンタ１０の各感光体３６の駆動と、吸着ロール４４又は転写ロール４６への電圧印加について説明する。
【００４５】
図３に示すように、画像形成ユニット１２Ｋの感光体３６Ｋには、図示しないギアを介して第１モータ３７Ｋ（Ｍ１）が接続されている。第１モータ３７Ｋは、制御ユニット５４に電気的に接続され、所定のタイミングで駆動されるようになっている。同様にして、画像形成ユニット１２Ｃ、１２Ｍ、１２Ｙの感光体３６Ｃ、３６Ｍ、３６Ｙには、それぞれ第２モータ３７Ｃ（Ｍ２）、第３モータ３７Ｍ（Ｍ３）、第４モータ３７Ｙ（Ｍ４）が接続されている。そして、第２モータ３７Ｃ（Ｍ２）、第３モータ３７Ｍ（Ｍ３）、第４モータ３７Ｙ（Ｍ４）は、それぞれ制御ユニット５４に電気的に接続されており、所定のタイミングで駆動されるようになっている。
【００４６】
第１モータ３７Ｋは、感光体３６Ｋを周速度Ｖ１で回転駆動するように制御ユニット５４で速度制御が行われる。一方、第２モータ３７Ｃ（Ｍ２）、第３モータ３７Ｍ（Ｍ３）、第４モータ３７Ｙ（Ｍ４）は、感光体３６Ｃ、３６Ｍ、３６Ｙを、フルカラー画像形成時（印刷時）には、いずれも周速度Ｖ１（感光体３６Ｋと同一速度）で回転駆動し、モノクロ画像形成時（印刷時）には、いずれも周速度Ｖ２＝（Ｖ１）／２、即ち感光体３６Ｋの半分の周速度で回転駆動するように制御ユニット５４で速度制御が行われる。
【００４７】
また、吸着ロール４４には、電源を有する第１電圧印加ユニット３９が電気的に接続されており、第１電圧印加ユニット３９は、制御ユニット５４に接続されている。第１電圧印加ユニット３９は、制御ユニット５４により作動されることで、予め決められたプラス極性の電圧を吸着ロール４４に印加する。
【００４８】
一方、転写ロール４６Ｋには、電源を有する第２電圧印加ユニット４７が電気的に接続されており、第２電圧印加ユニット４７は、制御ユニット５４に接続されている。第２電圧印加ユニット４７は、制御ユニット５４により作動されることで、予め決められたマイナス極性の電圧を転写ロール４６Ｋに印加する。
【００４９】
同様にして、転写ロール４６Ｃ、４６Ｍ、４６Ｙには、電源を有する第３電圧印加ユニット４９が電気的に接続されており、第３電圧印加ユニット４９は、制御ユニット５４に接続されている。ここで、第３電圧印加ユニット４９が、制御ユニット５４により作動されることで、予め決められたマイナス極性の電圧を各転写ロール４６Ｃ、４６Ｍ、４６Ｙにそれぞれ印加する。
【００５０】
次に、本発明の実施形態の作用について説明する。
【００５１】
まず、プリンタ１０の画像形成について説明する。図１に示すように、プリンタ１０で図示しない操作パネルのスタートボタンが押され、又はコンピュータから送信されるなどして画像形成が開始されると、制御ユニット５４がプリンタ１０の各部の動作制御を行い、ピックアップロール１６によって給紙カセット１４から記録用紙Ｐが送り出される。送り出された記録用紙Ｐは、搬送ロール１８及びレジストロール２０を介して用紙搬送路２２へ送り込まれ、搬送装置２４へ搬送される。
【００５２】
続いて、各画像形成ユニット１２において、感光体３６が帯電ロール６０で帯電され、画像を形成するための各種データに基づいて、露光装置２６から感光体３６に露光光Ｌが照射される。これにより、感光体３６上に静電潜像が形成される。そして、この静電潜像が現像ロール８２上のトナーＴによって顕在化（現像）され、トナー像となる。
【００５３】
感光体３６上のトナー像は、搬送ベルト４２によって搬送されてきた記録用紙Ｐ上に、転写ロール４６の転写電界によって順次転写され、各色のトナーが重ねられる。トナー像が転写された記録用紙Ｐは、定着装置４８で、熱と圧力の作用により定着される。定着が完了した記録用紙Ｐは、排出ロール５０によって排出トレイ５２へ排出される。なお、両面印刷の場合は、用紙反転路２５で反転して裏面印刷が行われる。このようにして、画像形成が行われる。
【００５４】
次に、感光体３６の周速度切り換えについて説明する。
【００５５】
図４には、プリンタ１０（図１参照）で行われるカラー印刷とモノクロ印刷のフローチャートが示されている。ステップＳ１０１では、プリンタ１０の図示しない操作パネルで入力されたプリント信号、又は外部から送信されたプリント信号が、制御ユニット５４（図１参照）によって受信される。続いて、ステップＳ１０２では、受信されたプリント信号に基づいて、制御ユニット５４がカラー印刷かモノクロ印刷かを判別する。
【００５６】
ここで、カラー印刷の場合、ステップＳ１０３に移行してカラー印刷が行われる。図５（ａ）に示すように、カラー印刷の場合、ブラックの感光体３６Ｋの周速度とシアン、マゼンタ、イエローの感光体３６Ｃ、３６Ｍ、３６Ｙの周速度とは同一でＶ１となっている。なお、図５（ａ）、（ｂ）では、マゼンタとイエローの各部材の図示を省略している。
【００５７】
これにより、プリンタ１０でカラー印刷のみが継続して行われたときは、ブラックの感光体３６Ｋと、シアン、マゼンタ、イエローの感光体３６Ｃ、３６Ｍ、３６Ｙとが、搬送ベルト４２及びクリーニングブレード６２（図２参照）に同程度接触して回転する。このため、画像形成ユニット１２の交換時期となったとき、感光体３６Ｋ、３６Ｃ、３６Ｍ、３６Ｙは、外周面の摩耗状態がほぼ同等であるため、摩耗の少ない感光体３６を交換するような無駄はなくなる。続いて、カラー印刷が終了すると、ステップＳ１０６でプリンタ１０の各部の動作が停止される。
【００５８】
一方、モノクロ印刷の場合、図４及び図５（ｂ）に示すように、ステップＳ１０４に移行して、シアン、マゼンタ、イエローのカラーの感光体３６Ｃ、３６Ｍ、３６Ｙの周速度が、Ｖ１からＶ２（Ｖ２＝（Ｖ１）／２）に低減（減速）される。ブラックの感光体３６Ｋは、周速度Ｖ１のままで回転する。
【００５９】
ここで、プリンタ１０でモノクロ印刷のみが継続して行われたとき、シアン、マゼンタ、イエローのカラーの感光体３６Ｃ、３６Ｍ、３６Ｙは、ブラックの感光体３６Ｋに比べて、搬送ベルト４２及びクリーニングブレード６２（図２参照）との接触回数が低減されるため、感光体３６Ｃ、３６Ｍ、３６Ｙの外周面の摩耗量がブラックの感光体３６Ｋの外周面の摩耗量よりも小さくなる。これにより、ブラックの画像形成ユニット１２Ｋが交換時期となっても、カラーの画像形成ユニット１２Ｃ、１２Ｍ、１２Ｙは、継続して使用可能となる。続いて、ステップＳ１０５でモノクロ印刷が行われ終了すると、ステップＳ１０６でプリンタ１０の各部の動作が停止される。
【００６０】
次に、搬送ベルト４２の記録用紙Ｐの吸着状態について説明する。
【００６１】
図６に示すように、プリンタ１０において画像形成（現像）が開始されると、搬送ベルト４２が移動する。そして、第１電圧印加ユニット３９によって、吸着ロール４４にプラス極性の電圧が印加され、搬送ベルト４２の外周面が帯電される。この帯電により、搬送装置２４まで搬送されてきた記録用紙Ｐは、搬送ベルト４２に吸着される。なお、図６では、一例として、イエローの画像形成ユニット１２Ｙについて表示しているが、他の画像形成ユニット１２Ｃ、１２Ｍについても同様である。
【００６２】
さらに、第３電圧印加ユニット４９によって、転写ロール４６Ｙにマイナス極性の電圧（転写電圧）が印加されると、感光体３６Ｙと転写ロール４６Ｙの間に電位差が生じ、感光体３６Ｙと転写ロール４６Ｙの間に進入した記録用紙Ｐには、搬送ベルト４２側に引き付ける静電引力Ｆが作用する。
【００６３】
ここで、モノクロ印刷が行われ、画像形成ユニット１２Ｙの感光体３６Ｙが、ブラックの画像形成ユニット１２Ｋの感光体３６Ｋよりも遅い周速度Ｖ２で回転したとき、画像形成ユニット１２Ｙの感光体３６Ｙと搬送ベルト４２で挟まれる位置の記録用紙Ｐには、遅い速度で回転する感光体３６Ｙによって、その位置に留めようとする力が作用する。
【００６４】
しかし、上記のように吸着ロール４４Ｙ及び転写ロール４６Ｙの作用によって、感光体３６Ｙの回転による力よりも、記録用紙Ｐと搬送ベルト４２の吸着力の方が勝るため、記録用紙Ｐと搬送ベルト４２のずれが抑えられる。
【００６５】
図７には、カラーの感光体３６Ｃ、３６Ｍ、３６Ｙのうち感光体３６Ｙについて、周速度をブラックの感光体３６Ｋの周速度に対して、低速、停止、同速と変化させたときの、感光体３６Ｋの回転数（Ｋｃｙｃｌｅ）に対する感光体３６Ｙ表面の膜厚量の変化が示されている。なお、搬送ベルト４２は回転駆動されている。
【００６６】
図７において、グラフＡは、感光体３６Ｋの周速度Ｖ１に対して感光体３６Ｙの周速度を低速度Ｖ２＝（Ｖ１）／２に設定したときの結果、グラフＢは、感光体３６Ｙの回転を停止させたときの結果、グラフＣは、感光体３６Ｙの周速度Ｖ２を感光体３６Ｋの周速度Ｖ１と同速度（Ｖ１＝Ｖ２）に設定したときの結果である。ここで、使用に耐えうる条件として、感光体３６Ｙの膜厚は、１４μｍ以上が必要とされる。
【００６７】
図７のグラフＡ、Ｃに示すように、感光体３６Ｙの周速度Ｖ２と感光体３６Ｋの周速度Ｖ１が同じときよりも、感光体３６Ｙの周速度Ｖ２が感光体３６Ｋの周速度Ｖ１より低速のときの方が、膜厚の減少量が小さく、即ち、摩耗量が少ないことが分かった。これは、低速の方が、時間当たりのクリーニングブレード６２（図２参照）との接触機会が減少するためと考えられる。
【００６８】
また、図７のグラフＡ、Ｂに示すように、感光体３６Ｙの回転を停止させたときよりも、感光体３６Ｙの周速度Ｖ２が感光体３６Ｋの周速度Ｖ１より低速のときの方が、膜厚の減少量が小さく、即ち、摩耗量が少ないことが分かった。これは、感光体３６Ｙを停止すると、移動する搬送ベルト４２によって表面が削られ、感光体３６Ｙ表面の偏摩耗が進むためと考えられる。
【００６９】
さらに、図７のグラフＢ、Ｃに示すように、感光体３６Ｙの回転を停止させたときの方が、感光体３６Ｙの周速度Ｖ２と感光体３６Ｋの周速度Ｖ１を同じにしたときよりも、膜厚の減少量が小さく、即ち、摩耗量が少ないことが分かった。これは、感光体３６Ｙを停止させた方が、クリーニングブレード６２との接触機会が少なくなるためと考えられる。
【００７０】
この測定結果から、感光体３６Ｙの周速度Ｖ２は、０＜Ｖ２＜（Ｖ１）／２の範囲で設定することが好ましい。
【００７１】
なお、本発明は上記の実施形態に限定されない。
【００７２】
搬送手段は、搬送ベルト４２に限らず、搬送ドラムであってもよい。
【００７３】
感光体３６Ｃ、３６Ｍ、３６Ｙの周速度Ｖ２は、０より大きく感光体３６Ｋの周速度Ｖ１より小さければよい。このため、３つとも同一の周速度Ｖ２としなくてもよい。また、吸着ロール４４及び転写ロール４６の電圧印加時の極性は、記録用紙Ｐを搬送ベルト４２に吸着させることができれば、異なる極性であってもよい。
【図面の簡単な説明】
【００７４】
【図１】本発明の実施形態に係るプリンタの全体図である。
【図２】本発明の実施形態に係る画像形成ユニットの断面図である。
【図３】本発明の実施形態に係る吸着ロール及び転写ロールの構成を示す模式図である。
【図４】本発明の実施形態に係る画像形成装置のカラーとモノクロの印刷工程を示すフローチャートである。
【図５】（ａ）本発明の実施形態に係るカラーとモノクロの感光体を同一周速度で回転したときの模式図である。（ｂ）本発明の実施形態に係るカラーとモノクロの感光体を異なる速度で回転したときの模式図である。
【図６】本発明の実施形態に係る搬送ベルトへの記録用紙の吸着状態を示す模式図である。
【図７】本発明の実施形態に係るカラーの感光体の周速度を変化させたときの感光体表面の膜厚の変化を示すグラフである。
【符号の説明】
【００７５】
１０  プリンタ（画像形成装置）
１２  画像形成ユニット（画像形成ユニット）
２４  搬送装置（搬送手段）
２６  露光装置（露光部）
３６  感光体（感光体）
３７Ｃ  第１モータ（駆動制御手段）
３７Ｍ  第２モータ（駆動制御手段）
３７Ｙ  第３モータ（駆動制御手段）
３８  張架ロール（回転体）
３９  第１電圧印加ユニット（帯電手段）
４０  張架ロール（回転体）
４２  搬送ベルト（搬送ベルト）
４４  吸着ロール（帯電手段）
４６  転写ロール（転写手段）
４９  第３電圧印加ユニット（転写手段）
５４  制御ユニット（駆動制御手段）
５６  感光体ユニット（装置本体）
５８  現像装置（現像部）
６０  帯電ロール（帯電部）
６２  クリーニングブレード（現像剤除去手段）
Ｐ  記録用紙（記録媒体）
【図１】
2010102257.tif 000003
【図２】
2010102257.tif 000004
【図３】
2010102257.tif 000005
【図４】
2010102257.tif 000006
【図５】
2010102257.tif 000007
【図６】
2010102257.tif 000008
【図７】
2010102257.tif 000009